(57)【要約】【課題】光ディスク装置において、最短データ長の振幅を検出してジッタ評価を可能とする。【解決手段】光ディスク装置のフォトディテクタ１０ａのうち先行する要素Ａ及びＤからのＲＦ１信号を遅延素子１５で２Ｔだけ遅延させ、後行の要素Ｂ及びＣからのＲＦ２信号と加算器１６で加算する。ＨＤ  ＤＶＤのＰＲクラスはＰＲ［１，２，２，２，１］であるが、２Ｔだけ遅延させて加算することで実質的にＰＲクラスをＰＲ［１，２，１］に変換でき、２Ｔ信号長の振幅を検出可能とする。【選択図】図１
2008059715.tif 000002
【特許請求の範囲】
【請求項１】
光ディスクのトラック方向に複数に分割され、分割された各要素で前記光ディスクからの反射光を光電変換してＲＦ信号を出力する受光手段と、
各要素のＲＦ信号のうち、時間的に先行する各要素のＲＦ信号を分割数及び先行時間の程度に応じた所定遅延量で遅延させる遅延手段と、
遅延させた各要素のＲＦ信号を加算する加算手段と、
を有することを特徴とする光ディスク装置。
【請求項２】
請求項１記載の装置において、
前記受光手段は、トラック方向に２分割され、
前記遅延手段は、２分割された各要素のＲＦ信号のうち、先行する要素のＲＦ信号を２Ｔ（Ｔは基準時間長）だけ遅延させる
ことを特徴とする光ディスク装置。
【請求項３】
請求項１記載の装置において、
前記受光手段は、トラック方向に４分割され、
前記遅延手段は、４分割された各要素のＲＦ信号のうち、先行する３つの要素のＲＦ信号をそれぞれ３Ｔ、２Ｔ、Ｔ（Ｔは基準時間長）だけ遅延させる
ことを特徴とする光ディスク装置。
【請求項４】
請求項１記載の装置において、
前記受光手段は、トラック方向に３分割され、
前記遅延手段は、３分割された各要素のＲＦ信号のうち、先行する２つの要素のＲＦ信号をそれぞれ２Ｔ、Ｔ（Ｔは基準時間長）だけ遅延させる
ことを特徴とする光ディスク装置。
【請求項５】
光ディスクに記録されたデータをＰＲＭＬ法を用いて再生する光ディスク装置であって、
光ディスクのトラック方向に複数に分割され、分割された各要素で前記光ディスクからの反射光を光電変換してＲＦ信号を出力する受光手段と、
各要素のＲＦ信号のうち、時間的に先行する各要素のＲＦ信号を分割数及び先行時間の程度に応じた所定遅延量で遅延させる遅延手段と、
遅延させた各要素のＲＦ信号を加算する加算手段と、
前記加算手段の出力を用いてＰＲＭＬ法により復調する復調手段と、
前記加算手段の出力を用いて再生信号のジッタを評価する評価手段と、
を有することを特徴とする光ディスク装置。
【発明の詳細な説明】
【技術分野】
【０００１】
本発明は光ディスク装置、特に分割フォトディテクタから出力される再生信号の処理に関する。
【背景技術】
【０００２】
従来より、光ディスク装置では光ピックアップのレーザダイオードから再生パワーのレーザ光を光ディスクに照射し、その反射光を光ピックアップの４分割フォトディテクタで光電変換し、４分割フォトディテクタのそれぞれのフォトディテクタの出力信号を加算することで再生ＲＦ信号を得ている。
【０００３】
ところが、再生パワーのレーザ光が光ディスク上のピットを通過する際に、ピット反射光から得られる４分割フォトディテクタの各出力信号にはピット進行方向の先行側、後行側に位相差が生じる場合がある。この位相差は、光ディスク上のピット深さによる回折やピックアップ光学系等に起因し、光ディスク装置、光ディスクの種類、再生速度等に応じて変化する。
【０００４】
図６に、光ディスク装置の再生系の構成を示し、図７に各信号を加算して得られるＲＦ和信号を示す。図６において、光ディスク上のトラック５にはピット６が形成され、トラック５に対して再生パワーのレーザ光１００を照射しその反射光を４分割フォトディテクタ１０ａで検出する。４分割フォトディテクタ１０ａはフォトディテクタＡ〜フォトディテクタＤの４つのフォトディテクタに分割されており、フォトディテクタＡ及びＢは光ディスクの内周側、フォトディテクタＣ及びＤは光ディスクの外周側に位置する。また、フォトディテクタＡ及びＤと、フォトディテクタＢ及びＣは光ディスクのトラック方向に対して分割されたフォトディテクタであり、光ディスクの回転に伴ってピット６が図中矢印方向に移動するものとすると、フォトディテクタＡ及びＤは先行するフォトディテクタ群であり、フォトディテクタＢ及びＣは後行するフォトディテクタ群である。フォトディテクタＡからの信号Ａ、フォトディテクタＢからの信号Ｂ、フォトディテクタＣからの信号Ｃ、フォトディテクタＤからの信号Ｄは加算器１６に供給され、全ての信号が加算されて再生ＲＦ信号が出力される。再生ＲＦ信号はデコーダに供給されて復調される。信号Ａと信号Ｄは先行側の信号、信号Ｂと信号Ｃは後行側の信号であり、光ディスクの種類やピット深さによる回折等に起因して、後行側の信号が先行側の信号に対して位相差が生じる場合がある。このように位相差が生じると、これらの和信号である再生ＲＦ信号の分解能が低下する。
【０００５】
下記の特許文献には、光学ヘッドの周波数特性に起因する再生信号の波形歪みの低減を図るために、光ディスクからの反射光を受光するための少なくとも一対の光検知器を光ディスクの情報トラックの方向に対応させて配置するとともに、一対の光検知器の一方の出力段に光検知器出力の高域での位相を進める進相手段を設け、この進相手段の出力と一対の光検出器の他方の出力とを加算することが開示されている。
【０００６】
【特許文献１】特開平７−９８９３８号公報
【発明の開示】
【発明が解決しようとする課題】
【０００７】
一方、ＨＤ  ＤＶＤやＢＤ（Blu-ray Disc）等の次世代光ディスクでは、ディスク上のピットとレーザスポット直径の関係から、再生信号は前後のピットから符号間干渉を受けることとなり、信号再生時にはこの干渉を積極的に利用してＰＲＭＬ（Partial Response Maximum Likelihood）方式で再生を行うことが提案されている。ここに、ＰＲＭＬは、前後のピット間の干渉を抑えつつ、再生信号から最も確からしいデータを読み取る信号処理方式であり、波形干渉を抑えずに狭い周波数帯域のままデータを記録再生するＰＲ検出と、１ビット毎に判別するのではなく複数の再生信号列から最も確からしいビット列を復号するＭＬ復号の複合技術である。ＨＤ  ＤＶＤのＰＲクラスはメディアとピックアップ間の伝達特性からＰＲ［１，２，２，２，１］とされているが、最短反転２Ｔ（Ｔは基準時間長）の変調コードが採用されており、ＰＲ［１，２，２，２，１］では、２Ｔ信号の振幅が得られない問題がある。通常、信号評価を行う際には２Ｔ信号のジッタを評価するところ、ＨＤ  ＤＶＤでは２Ｔ信号の振幅が得られないことから評価ができず、代わりにＰＲＳＮＲ、ｓＢＥＲ等の手法が用いられているが、例えばＰＲＳＮＲは、ＰＲ等化器によって得られる信号の符号間干渉を加味して得られるＳＮＲ（振幅対ノイズ比）を所定期間内で累積計算したものであるからＴ毎の評価が不可能であるため記録時のストラテジのチューニング等が困難である。
【０００８】
本発明の目的は、ＨＤ  ＤＶＤやＢＤ等の最短ピット長が例えば２Ｔと極めて短い光ディスク、すなわち高密度光ディスクの信号品質を確実に評価できる光ディスク装置を提供することにある。
【課題を解決するための手段】
【０００９】
本発明は、光ディスクのトラック方向に複数に分割され、分割された各要素で前記光ディスクからの反射光を光電変換してＲＦ信号を出力する受光手段と、各要素のＲＦ信号のうち、時間的に先行する各要素のＲＦ信号を分割数及び先行時間の程度に応じた所定遅延量で遅延させる遅延手段と、遅延させた各要素のＲＦ信号を加算する加算手段とを有することを特徴とする。
【００１０】
本発明において、前記受光手段は、トラック方向に２分割され、前記遅延手段は、２分割された各要素のＲＦ信号のうち、先行する要素のＲＦ信号を２Ｔ（Ｔは基準時間長）だけ遅延させてもよい。
【００１１】
また、本発明において、前記受光手段は、トラック方向に４分割され、前記遅延手段は、４分割された各要素のＲＦ信号のうち、先行する３つの要素のＲＦ信号をそれぞれ３Ｔ、２Ｔ、Ｔ（Ｔは基準時間長）だけ遅延させてもよい。
【００１２】
また、本発明において、前記受光手段は、トラック方向に３分割され、前記遅延手段は、３分割された各要素のＲＦ信号のうち、先行する２つの要素のＲＦ信号をそれぞれ２Ｔ、Ｔ（Ｔは基準時間長）だけ遅延させてもよい。
【００１３】
また、本発明は、光ディスクに記録されたデータをＰＲＭＬ法を用いて再生する光ディスク装置であって、光ディスクのトラック方向に複数に分割され、分割された各要素で前記光ディスクからの反射光を光電変換してＲＦ信号を出力する受光手段と、各要素のＲＦ信号のうち、時間的に先行する各要素のＲＦ信号を分割数及び先行時間の程度に応じた所定遅延量で遅延させる遅延手段と、遅延させた各要素のＲＦ信号を加算する加算手段と、前記加算手段の出力を用いてＰＲＭＬ法により復調する復調手段と、前記加算手段の出力を用いて再生信号のジッタを評価する評価手段とを有することを特徴とする。
【発明の効果】
【００１４】
本発明によれば、分割して得られる各要素からのＲＦ信号を適宜遅延処理して加算することで、ＰＲクラスを実質的に変換（低いクラスへ変換）するため、２Ｔ信号等の短い
信号の振幅を容易に検出できる。
【発明を実施するための最良の形態】
【００１５】
以下、図面に基づき本発明の実施形態について説明する。
【００１６】
＜基本原理＞
まず、本実施形態の基本原理について説明する。再生ＲＦ信号は、４分割フォトディ
テクタを用いた場合には、４分割フォトディテクタの各要素（フォトディテクタＡ〜Ｄ）の信号Ａ〜信号Ｄを全て加算して得られる。すなわち、
再生ＲＦ信号＝信号Ａ＋信号Ｂ＋信号Ｃ＋信号Ｄ
である。フォトディテクタＡとフォトディテクタＤが時間的に先行する要素であり、信号Ａ＋信号Ｄは先行側の信号、信号Ｂ＋信号Ｃは後行側の信号である。再生ＲＦ信号はＰＲＭＬ法によりデコードされる。ＰＲＭＬ方式では、連続するＮ時刻の再生信号と目標信号とを比較しながら、最も確からしいビット列に２値化する。光ディスクの再生方法としては一般にダイレクトスライス法が用いられるが、ピット長が２Ｔの場合は信号振幅が小さいため、ダイレクトスライス法では２Ｔ信号を抽出することが困難である。ＰＲＭＬ法においては、再生信号に最も近い時間遷移をもつ目標信号を選択し、目標信号を生成するビット列をデコード結果として出力する。目標信号は指定したインパルスレスポンス（ＰＲクラス）とビット列の畳み込みにより算出される。したがって、光ディスクの記録密度に応じた適切なＰＲクラスが選択される。ＰＲクラスをＰＲ［ａ，ｂ］で表現するものとすると、ＰＲ［１，１］はインパルス応答が連続する２つの識別点に１：１の割合で出現する特性を示す。したがって、入力｛０・・１・・・｝に対する応答出力は｛０・・１１・・｝となる。また、ＰＲ［１，２，１］はインパルス応答が連続する３つの識別点に１：２：１の割合で出現する特性を示す。したがって、入力｛０・・１・・｝に対する応答特性は｛０・・１２１・・｝となる。ＨＤ  ＤＶＤの場合、ＰＲクラスはＰＲ［１，２，２，２，１］とされ、これはインパルス応答が連続する５個の識別点に１：２：２：２：１の割合で出現することを示す。いま、ＨＤ  ＤＶＤの反射光を４分割フォトディテクタで受光し、信号Ａ＋信号Ｄと、信号Ｂ＋信号Ｃに分けた場合、信号Ａ＋信号ＤのＰＲクラスをＰＲ［１，２，１］、信号Ｂ＋信号ＣのＰＲクラスを信号Ａ＋信号Ｄから２Ｔだけ時間的に遅延したＰＲ［１，２，１］とみなすことができる。つまり、時間的に先行する信号Ａ＋信号ＤはＰＲ［１，２，１，０，０］、時間的に後行する信号Ｂ＋信号ＣはＰＲ［０，０，１，２，１］であり、両者を加算して
ＰＲ［１，２，１，０，０］＋ＰＲ［０，０，１，２，１］＝ＰＲ［１，２，２，２，１］とみなすことができる。
【００１７】
そこで、先行側の信号である信号Ａ＋信号Ｄを遅延回路にて２Ｔだけ遅延させる場合を想定する。この場合、信号Ａ＋信号ＤのＰＲクラスはＰＲ［０，０，１，２，１］となるから、全ての信号を加算して得られる再生ＲＦ信号は、
ＰＲ［０，０，１，２，１］＋ＰＲ［０，０，１，２，１］＝ＰＲ［０，０，２，４，２，］＝ＰＲ［０，０，１，２，１］
となり、実質的にＰＲ［１，２，１］と等しくなる。ＰＲ［１，２，２，２，１］では２Ｔの信号振幅は符号間干渉により小さくなって検出困難であるが、ＰＲ［１，２，１］とクラスが低くなれば３つの識別点に１：２：１の割合で出現するだけであるから符号間干渉が少なく２Ｔピット長の信号振幅も十分大きく検出される。
【００１８】
本実施形態では、このように先行する信号を所定量だけ遅延させることでＰＲクラスを実質的に変換し、最短ピット長である２Ｔピット長の信号振幅を検出可能としたものである。遅延は先行側の信号に対して施されるが、遅延量は分割数及び先行時間の程度に応じて設定される。トラック方向に２分割されている場合、先行側は２Ｔだけ先行する、あるいは後行側は２Ｔだけ遅延しているとみなして先行側の信号を２Ｔだけ遅延させる。後行側の信号は遅延させずそのまま出力し、遅延させた先行側信号と遅延させない後行側信号を加算する。先行側信号をそのまま出力し、後行側信号を２Ｔだけ進相させて加算してもよい。遅延回路は任意の遅延演算素子で構成できる。ＲＦ信号をデジタル信号に変換する場合、デジタル遅延素子で遅延させてもよい。
【００１９】
本実施形態はＨＤ  ＤＶＤのみならずＢＤにも同様に適用することができる。ＢＤでは、記録密度毎に、第１世代（２３．３ＧＢ対応）：ＰＲ［１，２，１］、第２世代（２５ＧＢ対応）：ＰＲ［１，２，２，１］、第３世代（２７ＧＢ）：ＰＲ［１，２，２，２，１］等と設定されており、例えば第３世代についてはＨＤ  ＤＶＤと同様に処理すればよく、また第２世代についてもフォトディテクタ１０ａの分割方法を変化させることで対応することができる。
【００２０】
＜第１実施形態＞
図１に、本実施形態の再生系の構成ブロック図を示す。ＰＲクラスがＰＲ［１，２，２，２，１］のＨＤ  ＤＶＤを再生する場合である。光ディスク５のトラックに形成されたピット６にレーザ光１００を照射し、その反射光を光ピックアップの４分割フォトディテクタ１０ａで検出する。４分割フォトディテクタ１０ａは４つのフォトディテクタＡ〜Ｄから構成され、フォトディテクタＡ及びＤはトラック５の移動方向（図中矢印方向）の先行側、フォトディテクタＢ及びＣは移動方向の後行側に配置される。フォトディテクタＢ及びＣを基準位置とすると、フォトディテクタＡ及びＤは相対的に先行側に配置されている。フォトディテクタＡ及びＤからの信号は加算されてＲＦ１信号としてアンプ１０ｂに供給され、ディテクタＢ及びＣからの信号は加算されてＲＦ２信号としてアンプ１０ｂに供給される。
【００２１】
アンプ１０ｂはゲインＡで両信号を増幅し、ローパルフィルタ（ＬＰＦ）及びイコライザ（ＥＱ）１０ｃ、１０ｄにそれぞれ供給する。
【００２２】
ＬＰＦ／ＥＱ１０ｃ及びＬＰＦ／ＥＱ１０ｄはそれぞれＲＦ１信号及びＲＦ２信号の高周波ノイズを除去し、あるいは特定周波数帯域を若干ブーストしてＡ／Ｄ１２及びＡ／Ｄ１４にそれぞれ供給する。ＬＰＦ／ＥＱ１０ｃ及びＬＰＦ／ＥＱ１０ｄは同特性であることが好適であり、平易なＬＰＦあるいは最高周波数付近で若干のブースト特性を有するものでもよい。
【００２３】
Ａ／Ｄ１２及びＡ／Ｄ１４は、それぞれＲＦ１信号及びＲＦ２信号をデジタル信号に変換する。Ａ／Ｄ１２及びＡ／Ｄ１４での変換タイミングはクロック信号ＣＬＫで決定され、ＣＬＫの立ち上がりタイミングでＲＦ１信号及びＲＦ２信号をサンプリングしてデジタル信号に変換する。ＣＬＫは、ＰＬＬ２２で生成されＡ／Ｄ１２及びＡ／Ｄ１４に供給される。
【００２４】
遅延素子（デジタル遅延素子）１５は、デジタルＲＦ１信号を２Ｔだけ遅延して加算器１６に出力する。遅延はクロック信号ＣＬＫに同期して行われ、ＣＬＫはＰＬＬ２２から供給される。一方、デジタルＲＦ２信号は遅延素子１５で遅延されることなくそのまま加算器１６に供給される。
【００２５】
加算器１６は、２Ｔだけ遅延したデジタルＲＦ１信号と、遅延していないデジタルＲＦ２信号とを加算して再生信号を得る。再生信号はＡＧＣ１８でゲイン調整された後、イコライザ４６を介してＰＲＭＬ処理部４８に供給される。ＰＲＭＬ処理部４８はＰＲ等化器とビタビ復号器とを備え、ＰＲ等化器で波形等化した再生信号に対してビタビ復号を行う。ここに、ビタビ復号とは、所定のＰＲ特性を満たす全符号系列のうち、ＰＲ等化器において等化された信号のサンプル系列との誤差が最も小さい符号系列、すなわち最大尤度の符号系列を選択し、当該選択された符号系列に応じた復号を行うものである。ＨＤ  ＤＶＤではＰＲ等化器はＰＲ特性としてＰＲ［１，２，２，２，１］を想定するが、本実施形態では先行側の信号を遅延素子１５で２Ｔだけ遅延処理した後に後行側の信号と加算することで実質的にＰＲ［１，２，１］と低クラスとなるため、ＰＲ等化器はＰＲ［１，２，１］として等化処理を行う。また、ＡＧＣ１８からの信号はイコライザ４０、２値化回路４２を介してジッタ評価回路４４に供給され、ジッタが評価される。ジッタの他にデビエーションを評価してもよい。また、２値化信号はＰＬＬ２２にも供給され、クロックＣＬＫが生成される。ＰＬＬ２２は、ＡＧＣ１８からの再生信号のゼロクロス点を検出するゼロクロス検出器２２ａ、位相比較器２２ｂ、チャージポンプ２２ｃ、電流電圧変換器（ＩＶ）２２ｄ、電圧制御発振器（ＶＣＯ）２２ｅ及び１／Ｎ分周器２２ｆを有し、ＶＣＯ２２ｅからのクロック信号ＣＬＫはＡ／Ｄ１２、１４に供給される。
【００２６】
図２に、ＰＲ［１，２，２，２，１］のアイパターンを示し、図３に、ＰＲ［１，２，１］のアイパターンを示す。図２では２Ｔ信号の振幅はほとんど０であるが、図３では２Ｔ信号振幅が大きく容易にデコードすることができる。また、ジッタ評価回路４４で２Ｔピット長信号のジッタを評価することができるので、ストラテジのチューニングが容易となる。
【００２７】
＜第２実施形態＞
図４に本実施形態の構成ブロック図を示す。第１実施形態と同様にＨＤ  ＤＶＤを再生する場合である。フォトディテクタ１０ａをトラック方向に４分割してフォトディテクタＥ、Ｆ，Ｇ，Ｈとする。フォトディテクタＨを基準とすると、フォトディテクタＥ，Ｆ，Ｇは相対的に先行側に配置されている。フォトディテクタＥは最も先行側に配置されている。フォトディテクタＥからのＲＦ１信号はアンプ１０ｂで増幅され、ＬＰＦ／ＥＱ１０ｃでノイズ除去され、Ａ／Ｄ１２ａでデジタル信号に変換された後、遅延素子１５ａで遅延される。遅延量は３Ｔである。また、フォトディテクタＦからのＲＦ２信号はアンプ１０ｂで増幅され、ＬＰＦ／ＥＱ１０ｄでノイズ除去され、Ａ／Ｄ１２ｂでデジタル信号に変換された後、遅延素子１５ｂで遅延される。遅延量は２Ｔである。フォトディテクタＧからのＲＦ３信号はアンプ１０ｂで増幅され、ＬＰＦ／ＥＱ１０ｅでノイズ除去され、Ａ／Ｄ１２ｃでデジタル信号に変換された後、遅延素子１５ｃで遅延される。遅延量はＴである。フォトディテクタＨからのＲＦ４信号はアンプ１０ｂで増幅され、ＬＰＦ／ＥＱ１０ｆでノイズ除去され、Ａ／Ｄ１２ｄでデジタル信号に変換された後、遅延されることなく出力される。Ａ／Ｄ１２ａ〜Ａ／Ｄ１２ｄはＰＬＬ２２で生成されたクロック信号ＣＬＫに応じて入力ＲＦ信号をそれぞれデジタル信号に変換する。加算器１６は、これら４つの信号を加算して再生信号として出力する。
【００２８】
ＲＦ１信号は、ＰＲクラスではＰＲ［１，１，０，０，０］と表現できる。また、ＲＦ２信号はＰＲ［０，１，１，０，０］と表現できる。また、ＲＦ３信号はＰＲ［０，０，１，１，０］と表現でき、ＲＦ４信号はＰＲ［０，０，０，１，１］と表現できる。これらを単純に加算すると、ＰＲ［１，２，２，２，１］となる。ところが、本実施形態ではＲＦ１信号を３Ｔ、ＲＦ２信号を２Ｔ、ＲＦ３信号をＴだけ遅延させており、ＲＦ１信号を３Ｔだけ遅延するとＰＲ［０，０，０，１，１］となり、ＲＦ２信号を２Ｔだけ遅延するとＰＲ［０，０，０，１，１］となり、ＲＦ３信号をＴだけ遅延するとＰＲ［０，０，０，１，１］となるため、加算器１６でこれらを加算した信号はＰＲ［０，０，０，４，４］となり、実質的にＰＲ［１，１］に等しくなる。したがって、２Ｔピット長の信号も十分大きな振幅で検出されデコードされる。
【００２９】
＜第３実施形態＞
図１の構成は、ＰＲ［１，２，２，１］のＢＤを再生する場合に適用することができる。この場合、ＲＦ１信号はＰＲ［１，２，０，０］、ＲＦ２信号はＰＲ［０，０，２，１］とみなすことができるので、ＲＦ１信号を遅延素子１５で２Ｔだけ遅延させることで遅延ＲＦ１信号のＰＲクラスはＰＲ［０，０，１，２］となり、加算器１６でこれらを加算した信号はＰＲ［０，０，０，３，３］となり、実質的にＰＲ［１，１］に等しくなる。したがって、２Ｔピット長の信号も十分大きな振幅で検出されデコードされる。  
【００３０】
＜第４実施形態＞
図５に本実施形態の構成ブロック図を示す。ＰＲ［１，２，２，１］のＢＤを再生する場合である。フォトディテクタ１０ａをトラック方向に３分割してフォトディテクタＥ、Ｆ，Ｇとする。フォトディテクタＧを基準とすると、フォトディテクタＥ，Ｆは相対的に先行側に配置されている。フォトディテクタＥは最も先行側に配置されている。フォトディテクタＥからのＲＦ１信号はアンプ１０ｂで増幅され、ＬＰＦ／ＥＱ１０ｃでノイズ除去され、Ａ／Ｄ１２ａでデジタル信号に変換された後、遅延素子１５ａで遅延される。遅延量は２Ｔである。また、フォトディテクタＦからのＲＦ２信号はアンプ１０ｂで増幅され、ＬＰＦ／ＥＱ１０ｄでノイズ除去され、Ａ／Ｄ１２ｂでデジタル信号に変換された後、遅延素子１５ｂで遅延される。遅延量はＴである。フォトディテクタＧからのＲＦ３信号はアンプ１０ｂで増幅され、ＬＰＦ／ＥＱ１０ｅでノイズ除去され、Ａ／Ｄ１２ｃでデジタル信号に変換された後、遅延されることなく出力される。Ａ／Ｄ１２ａ〜Ａ／Ｄ１２ｃはＰＬＬ２２で生成されたクロック信号ＣＬＫに応じて入力ＲＦ信号をそれぞれデジタル信号に変換する。加算器１６は、これら３つの信号を加算して再生信号として出力する。
【００３１】
ＲＦ１信号は、ＰＲクラスではＰＲ［１，１，０，０］と表現できる。また、ＲＦ２信号はＰＲ［０，１，１，０］と表現できる。また、ＲＦ３信号はＰＲ［０，０，１，１］と表現できる。これらを単純に加算すると、ＰＲ［１，２，２，１］となる。ところが、本実施形態ではＲＦ１信号を２Ｔ、ＲＦ２信号をＴだけ遅延させており、ＲＦ１信号を２Ｔだけ遅延するとＰＲ［０，０，１，１］となり、ＲＦ２信号をＴだけ遅延するとＰＲ［０，０，１，１］となるため、加算器１６でこれらを加算した信号はＰＲ［０，０，３，３］となり、実質的にＰＲ［１，１］に等しくなる。したがって、２Ｔピット長の信号も十分大きな振幅で検出されデコードされる。  
【図面の簡単な説明】
【００３２】
【図１】実施形態における光ディスク装置の再生系の構成ブロック図である。
【図２】ＰＲ［１，２，２，２，１］のアイパターン図である。
【図３】ＰＲ［１，２，１］のアイパターン図である。
【図４】他の実施形態の再生系の構成ブロック図である。
【図５】他の実施形態の再生系の構成ブロック図である。
【図６】フォトディテクタの構成図である。
【図７】先行側信号と後行側信号及び再生ＲＦ信号の波形図である。
【符号の説明】
【００３３】
５  トラック、６  ピット、１０ａ  フォトディテクタ、１５  遅延素子。
【図１】
2008059715.tif 000003
【図２】
2008059715.tif 000004
【図３】
2008059715.tif 000005
【図４】
2008059715.tif 000006
【図５】
2008059715.tif 000007
【図６】
2008059715.tif 000008
【図７】
2008059715.tif 000009